(57)【要約】【課題】本発明は、ハーネスの通し部から電気接続箱の内部に水が浸入することを防止できる電気接続箱を提供する。【解決手段】電気接続箱１は、箱本体２と、該箱本体２を構成する外壁３１、４１、５１から突出して設けられた筒状の通し部６と、該通し部６の内側に通されて、前記箱本体２の外に引き出されるハーネス７が前記通し部６の内側に通された状態で、前記通し部６及び前記ハーネス７の外周に巻きつけられて、前記箱本体２と前記ハーネス７とを固定する固定部材８と、を備えた電気接続箱１において、前記通し部６が、複数の部材６Ａ、６Ｂに分割されて構成されており、前記複数の部材６Ａ、６Ｂが、前記通し部６の周方向に互いに間隔をあけて設けられた撓み部６２を備え、該撓み部６２が、互いに近付く方向に弾性変形自在に設けられている。【選択図】図１
2010279191.tif 000002
【特許請求の範囲】
【請求項１】
箱本体と、
該箱本体を構成する外壁から突出して設けられた筒状の通し部と、
該通し部の内側に通されて、前記箱本体の外に引き出されるハーネスが前記通し部の内側に通された状態で、前記通し部及び前記ハーネスの外周に巻きつけられて、前記箱本体と前記ハーネスとを固定する固定部材と、
を備えた電気接続箱において、
前記通し部が、複数の部材に分割されて構成されており、
前記複数の部材が、前記通し部の周方向に互いに間隔をあけて設けられた撓み部を備え、該撓み部が、互いに近付く方向に弾性変形自在に設けられていることを特徴とする電気接続箱。
【請求項２】
前記複数の部材は、前記通し部の正面視が円形になるように配置されていることを特徴とする請求項１に記載の電気接続箱。
【請求項３】
前記部材が、前記箱本体の前記外壁に連なる基端部と、該基端部に連なる前記撓み部とを備え、
前記基端部の厚みが、前記撓み部の厚みよりも厚く形成されていることを特徴とする請求項１または請求項２に記載の電気接続箱。
【請求項４】
前記撓み部に設けられかつ、前記通し部の外方向に向かって凸に設けられた見返し部を備えていることを特徴とする請求項１乃至請求項３に記載の電気接続箱。
【発明の詳細な説明】
【技術分野】
【０００１】
本発明は、自動車のエンジンルーム内に取り付けられる電気接続箱に関するものである。
【背景技術】
【０００２】
移動体としての自動車には、多種多様な電子機器が搭載されている。これら多種多様な電子機器に電力を供給するために、前記自動車には、電源と前記電子機器との間の適宜箇所に、コネクタ、リレー、ヒューズ等の電気部品が集約されて構成された電気接続箱が配置されている。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して以下電気接続箱と呼ぶ。
【０００４】
図６は、従来の電気接続箱を分解して示す分解斜視図である。前述した電気接続箱１０１（例えば、特許文献１参照）は、箱状に形成されてその内側に各種電気部品（図示しない）が収容される箱本体１０２と、一端がこれら複数の電気部品に接続されかつ他端側が後述する筒状の通し部１０６の内側に通されて箱本体１０２の外に引き出されるハーネス１０７と、を備えている。
【０００５】
箱本体１０２は、本体部１０３と、該本体部１０３に着脱自在に取り付けられるロアカバー１０５と、前記箱本体１０２を構成する外壁に設けられているとともに、その内側に前記ハーネス１０７が通されて、該ハーネス１０７を箱本体１０２から外に引き出す通し部１０６と、を備えている。
【０００６】
通し部１０６は、箱本体１０２を構成する外壁から突出して設けられかつ、その内側にハーネス１０７を通す円筒状に形成されている。通し部１０６は、半筒状に形成されて本体部１０３から突出して設けられた第１部材１６２と、半筒状に形成されてロアカバー１０５から突出して設けられた第２部材１６６と、前記第１部材１６２に設けられかつ、前記第２部材１６６のロック受け部１３３に係止するロック部１５２と、ロック受け部１３３と、を備えている。通し部１０６は、第１部材１６２と、第２部材１６６とで分割組み立て可能に構成されている。
【０００７】
ハーネス１０７は、箱本体１０２に収容される各種電気部品と、前記自動車に搭載された各種電子機器と、を互いに接続する複数本の電線が束ねられたものである。
【０００８】
上述した電気接続箱１０１は、ハーネス１０７を通し部１０６の第１部材１６２と、第２部材１６６との間に挟むようにして取り付けて、ロック受け部１３３がロック部１５２を係止する。こうして、通し部１０６が組み立てられるとともに、本体部１０３にロアカバー１０５が組み付けられる。こうして、電気接続箱１０１が組み立てられている。
【先行技術文献】
【特許文献】
【０００９】
【特許文献１】実開平４−９３４２３号公報
【発明の概要】
【発明が解決しようとする課題】
【００１０】
しかしながら、特許文献１に示された電気接続箱１０１の通し部１０６には、ロック部１５２とロック受け部１３３と、が設けられており、通し部１０６の周方向の寸法が固定されている。このため、通し部１０６に該通し部１０６より太さの細いハーネス１０７を通した際には、通し部１０６と該通し部１０６内を通されるハーネス１０７との間に隙間が生じるため、該隙間から箱本体１０２の内部に水が浸入し易いという問題があった。
【００１１】
従って、本発明は、ハーネスの通し部から電気接続箱の内部に水が浸入することを防止することができる電気接続箱を提供することを目的とする。
【課題を解決するための手段】
【００１２】
請求項１に記載の本発明の電機接続箱は、箱本体と、該箱本体を構成する外壁から突出して設けられた筒状の通し部と、該通し部の内側に通されて、前記箱本体の外に引き出されるハーネスが前記通し部の内側に通された状態で、前記通し部及び前記ハーネスの外周に巻きつけられて、前記箱本体と前記ハーネスとを固定する固定部材と、を備えた電気接続箱において、前記通し部が、複数の部材に分割されて構成されており、前記複数の部材が、前記通し部の周方向に互いに間隔をあけて設けられた撓み部を備え、該撓み部が、互いに近付く方向に弾性変形自在に設けられていることを特徴としている。
【００１３】
請求項２に記載の電気接続箱は、請求項１に記載の電気接続箱において、前記複数の部材は、前記通し部の正面視が円形になるように配置されていることを特徴としている。
【００１４】
請求項３に記載の電気接続箱は、請求項１または請求項２に記載の電気接続箱において、前記部材が、前記箱本体の前記外壁に連なる基端部と、該基端部に連なる前記撓み部とを備え、前記基端部の厚みが、前記撓み部の厚みよりも厚く形成されていることを特徴としている。
【００１５】
請求項４に記載の電気接続箱は、請求項１乃至請求項３に記載の電気接続箱において、前記撓み部に設けられかつ、前記通し部の外方向に向かって凸に設けられた見返し部を備えていることを特徴としている。
【発明の効果】
【００１６】
以上説明したように請求項１に記載の本発明によれば、通し部が、複数の部材としての第１部材と第２部材とに分割されている。そして、第１部材及び第２部材の撓み部が、前記通し部の周方向に互いに間隔をあけて設けられているとともに、これら撓み部が、互いに近付く方向に弾性変形自在に設けられている。こうして、通し部の内側にハーネスが通された状態で、撓み部とハーネスとの外周に粘着テープが巻かれる際には、撓み部（の内周面）が、ハーネス（の外周面）に近付く方向に弾性変形することにより、撓み部の内周面がハーネスの外周面に当接させるように圧接されて粘着テープによって巻きつけられる。また、これら撓み部は、通し部の周方向に互いに間隔をあけて設けられているため、撓み部の周方向の縁同士が互いに重ねられずにハーネスの外周面に当接して、撓み部の内周面がハーネスの外周面に密接する。こうして、水滴や塵等が箱本体の内部への浸入することを防止することができる。
【００１７】
また、このような通し部を備えた電気接続箱は、太さの異なるハーネスにも幅広く対応することができる。
【００１８】
請求項２に記載の本発明によれば、第１部材及び第２部材の撓み部は、通し部の正面視が円形になるように配置されている。こうして通し部の内側にハーネスが通されて粘着テープが巻かれる際には、撓み部の内周面がハーネスの外周面に隙間が設けられることなく密接する。こうして、水滴や塵等が箱本体の内部への浸入することを更に防止することができる。
【００１９】
請求項３に記載の本発明によれば、箱本体の外壁に連なる基端部の厚みが、該基端部に連なる撓み部の厚みよりも厚く形成されている。こうして、ハーネスの配策方向を規制することができる。
【００２０】
請求項４に記載の本発明によれば、撓み部には、通し部の外方向に向かって凸に設けられた見返し部が設けられている。この見返し部によって、撓み部の外周に巻きつけられた粘着テープがずれることなくハーネスが通し部（即ち箱本体）に組み付けられる。
【図面の簡単な説明】
【００２１】
【図１】本発明の一実施形態に係る電気接続箱の側面図である。
【図２】図１に示された電気接続箱の組立作業を説明するための説明図であり、通し部に固定部材としての粘着テープが巻きつけられていない状態を示す側面図である。
【図３】図１に示された電気接続箱の組立作業を説明するための説明図であり、通し部にハーネスが通されていない状態で、本体部にロアカバーが取り付けられている様子を示す断面図である。
【図４】図１に示された電気接続箱の斜視図である。
【図５】図４に示された電気接続箱の組立作業を説明するための説明図であり、通し部に固定部材としての粘着テープが巻きつけられていない状態を示す斜視図である。
【図６】従来の電気接続箱を分解して示す分解斜視図である。
【発明を実施するための形態】
【００２２】
以下、本発明の一実施形態にかかる電機接続箱を、図１乃至図５に基づいて説明する。本発明の電気接続箱１は、自動車のエンジンルームなどに取り付けられて、前記自動車に搭載された多種多様な電子部品に電力を供給するものである。また、本明細書では、ジャンクションブロック、ヒューズブロック、リレーボックスを、総称して以下電気接続箱１と呼ぶ。
【００２３】
前述した電気接続箱１は、箱状に形成されてその内側に各種電気部品（図示しない）が収容される箱本体２と、一端がこれら各種電気部品に接続されかつ箱本体２の後述する筒状の通し部６の内側に通されて箱本体２の外に引き出されるハーネス７が、前記通し部６の内側に通された状態で、前記通し部６及び前記ハーネス７の外周に巻きつけられて、前記箱本体２と前記ハーネス７とを固定する固定部材８と、を備えている。
【００２４】
箱本体２は、筒状に形成された本体部３と、該本体部３の図１中上側に位置する上面に着脱自在に取り付けられるアッパーカバー４と、該本体部３の図１中下側に位置するとともに、前記上面から離れる方向の下面に着脱自在に取り付けられるロアカバー５と、本体部３にロアカバー５が取り付けられることによって形成される通し部６と、を備えている。
【００２５】
本体部３は、その内側に前記電気部品が装着される。本体部３は、絶縁性の合成樹脂からなりかつ、周知の射出成形により成形される。本体部３は、複数の外壁３１と、アッパーカバー４の後述するロックアーム４２に係止するロック突起３２と、ロアカバー５の後述するロック部５２に係止するロック受け部３３と、を備えている。本体部３は、複数の外壁３１によって四角筒状に形成されている。
【００２６】
アッパーカバー４は、絶縁性の合成樹脂からなりかつ、周知の射出成形により成形される。アッパーカバー４は、複数の外壁４１と、ロックアーム４２と、を備えている。アッパーカバー４は、複数の外壁４１によって有底筒状に形成されている。
【００２７】
ロアカバー５は、絶縁性の合成樹脂からなりかつ、周知の射出成形により成形される。アッパーカバー４は、複数の外壁５１と、複数のロック部５２と、を備えている。ロアカバー５は、複数の外壁５１によって有底筒状に形成されている。
【００２８】
通し部６は、箱本体２を構成する外壁３１、４１から突出して設けられ、かつ、その内側にハーネス７を通す。そして、通し部６は、一端が各種電気部品に接続されたハーネス７の他端側が通されて、箱本体２の外に前記ハーネス７の他端側を引き出す。通し部６は、箱本体２の内部と外部とに亘って連通している。通し部６は、本体部３の前記下面の縁から樋状に立設した第１部材６Ａと、前記下面の縁と重なるロアカバー５の縁から樋状に立設した第２部材６Ｂと、を備えている。また、これら第１部材６Ａと第２部材６Ｂとは、通し部６の正面視（図１に示す矢印Ｘ１から見た図）が円形となるように配置されている。そして、本体部３にロアカバー５が取り付けられることによって、これら第１部材６Ａと第２部材６Ｂとは互いの周方向の縁同士が近付けられて通し部６を構成する。こうして、通し部６は、第１部材６Ａと第２部材６Ｂとによって分割組み立て可能に構成されている。なお、特許請求項の範囲に示された「複数の部材」とは、第１部材６Ａ及び第２部材６Ｂとをなしている。
【００２９】
第１部材６Ａは、樋状に形成されている。第１部材６Ａは、外壁３１に連なる基端部６４と、該基端部６４に連なる撓み部６２と、見返し部６３と、第１部材６Ａと第２部材６Ｂとを結束する結束バンド９が通される結束バンド取付部６５と、を備えている。第１部材６Ａは、基端部６４と、該基端部６４に連なる撓み部６２とによって構成されている。
【００３０】
基端部６４は、その先端部に結束バンド取付部６５を設けている。第１部材６Ａに第２部材６Ｂが組み付けられると、第１部材６Ａの基端部６４の周方向の縁と、後述する第２部材６Ｂの基端部６６の周方向の縁同士は、隙間があけられることなく重ねられる。
【００３１】
撓み部６２は、その先端部に見返し部６３を設けている。撓み部６２の厚みは、箱本体２を構成する外壁３１、４１、５１の厚みよりも薄く形成されている。勿論、撓み部６２の厚みは、前述した基端部６４の厚みよりも薄く形成されている。こうして、撓み部６２は、箱本体２を構成する外壁３１、４１、５１及び基端部６４よりも撓み易く形成されている。こうして第１部材６Ａ及び後述する第２部材６Ｂの撓み部６２は、互いに近付く方向に弾性変形可能に形成されている。
【００３２】
また、撓み部６２は、その周方向の寸法が、後述する基端部６４の周方向の寸法よりも短く設けられている。こうして、第１部材６Ａに第２部材６Ｂが組み付けられると、第１部材６Ａ及び第２部材６Ｂの撓み部６２が、通し部６の周方向に互いに間隔をあけて設けられている。このように、第１部材６Ａ及び第２部材６Ｂの撓み部６２との間に間隔が設けられていることで、通し部６の内側にハーネス７が通されて粘着テープ８が巻かれる際には、第１部材６Ａ及び第２部材６Ｂの撓み部６２の周方向の縁同士が互いに近付けられてハーネス７の外周面に当接するため、第１部材６Ａ及び第２部材６Ｂの撓み部６２の内周面がハーネス７の外周面に密接する。
【００３３】
見返し部６３は、通し部６の外方向に向って凸に設けられている。即ち見返し部６３は、通し部６の正面視が半円状に形成されている。
【００３４】
結束バンド取付部６５は、２つ設けられている。２つの結束バンド取付部６５は互いに間隔をあけて、基端部６４の周方向に沿って並べられている。結束バンド取付部６５は、一対の立設片９５と、これら一対の立設片９５とを連結する連結片９６と、を一体に備えている。一対の立設片９５は、基端部６４の外周面から外方向に立設している。一対の立設片９５は、基端部６４の長手方向（即ち矢印Ｘ１）に沿って互いに間隔をあけて設けられている。一対の立設片９５の間隔は、通し部６にハーネス７を結束する結束バンド９を通すことが可能に形成されている。連結片９６は、一対の立設片９５の基端部６４から離れた端を互いに連結している。
【００３５】
こうして、結束バンド取付部６５は、一対の立設片９５と連結片９６とを備えて略コ字状に形成されている。結束バンド取付部６５は、その内側（即ち一対の立設片９５間でかつ基端部６４の外周面と連結片９６との間）に、前述した結束バンド９を通すことができる。
【００３６】
第２部材６Ｂは、樋状に形成されている。第２部材６Ｂは、外壁５１に連なる基端部６６と、該基端部６６に連なる撓み部６２と、見返し部６３と、を備えている。第２部材６Ｂは、基端部６６と、該基端部６６に連なる撓み部６２とによって構成されている。
【００３７】
ハーネス７は、周知の被覆電線である。該ハーネス７は、一端が各種電気部品に接続されかつ、前述した通し部６から箱本体２の外に引きだされた他端側が一束に結わえられてワイヤハーネス（図示しない）を構成する。
【００３８】
固定部材としての粘着テープ８は、通し部６の内側にハーネス７が通された状態で、撓み部６２の外周及び、ハーネス７の外周に巻きつけられる。この際、粘着テープ８は通し部６の長手方向（即ち矢印Ｘ１）の隣り合う粘着テープ８と粘着テープ８との間に隙間があかないように巻きつけられるとともに、第１部材６Ａ及び第２部材６Ｂの撓み部６２が弾性変形することによって、撓み部６２の内周面がハーネス７の外周面に近付けられる。こうして、粘着テープ８は、第１部材６Ａ及び第２部材６Ｂの撓み部６２（の内周面）が、ハーネス７（の外周面）に当接させるように圧接されて巻きつけられる。
【００３９】
上述した電気接続箱１の組立手順について説明する。まず、本体部３にハーネス７の一端及び前記電気部品を取り付ける。そして、ハーネス７がロアカバー５の第２部材６Ｂの内側に載置された状態で、第２部材６Ｂの周方向の縁と、第１部材６Ａの周方向の縁同士を互いに近づける。そして、ロアカバー５の外壁５１に設けられたロック部５２に本体部３の外壁３１に設けられたロック受け部３３が係止することにより、通し部６が組み付けられるとともに本体部３にロアカバー５が組み付けられる。次に、本体部３の上面を覆うようにアッパーカバー４を近づけて、アッパーカバー４のロックアーム４２が本体部３のロック突起３２に嵌まることで、本体部３にアッパーカバー４が組み付けられる。
【００４０】
次に、結束バンド取付部６５の前記内側に結束バンド９の先端部を通して、結束バンド９を、基端部６４、６６の外周に巻きつけて結束する。こうして、ハーネス７が配策される方向を規制するとともに、ハーネス７が箱本体２に組み付けられる。そして、粘着テープ８を、第１部材６Ａ及び第２部材６Ｂの撓み部６２の外周及び、ハーネス７の外周に巻きつける。この際、粘着テープ８は、通し部６の長手方向の隣り合う粘着テープ８と粘着テープ８との間に隙間があかないように巻きつけるとともに、第１部材６Ａ及び第２部材６Ｂの撓み部６２が、弾性変形することによって、撓み部６２の内周面がハーネス７の外周面に近付けられる。こうして、粘着テープ８は、第１部材６Ａ及び第２部材６Ｂの撓み部６２（の内周面）が、ハーネス７（の外周面）に当接させるように圧接されて巻きつけられる。こうして電気接続箱１が完成する。
【００４１】
上述した電気接続箱１によれば、通し部６が、複数の部材としての第１部材６Ａと第２部材６Ｂとに分割されている。そして、第１部材６Ａ及び第２部材６Ｂの撓み部６２が、前記通し部６の周方向に互いに間隔をあけて設けられているとともに、これら撓み部６２が、互いに近付く方向に弾性変形自在に設けられている。こうして、通し部６の内側にハーネス７が通された状態で、撓み部６２とハーネス７との外周に粘着テープ８が巻かれる際には、撓み部６２（の内周面）が、ハーネス７（の外周面）に近付く方向に弾性変形することにより、撓み部６２の内周面がハーネス７の外周面に当接させるように圧接されて粘着テープ８によって巻きつけられる。また、これら撓み部６２は、通し部６の周方向に互いに間隔をあけて設けられているため、撓み部６２の周方向の縁同士が互いに重ねられずにハーネス７の外周面に当接して、撓み部６２の内周面がハーネス７の外周面に密接する。こうして、水滴や塵等が箱本体２の内部への浸入することを防止することができる。
【００４２】
また、このような通し部６を備えた電気接続箱１は、太さの異なるハーネス７にも幅広く対応することができる。
【００４３】
また、第１部材６Ａ及び第２部材６Ｂの撓み部６２は、通し部６の正面視が円形になるように配置されている。こうして通し部６の内側にハーネス７が通されて粘着テープ８が巻かれる際には、撓み部６２の内周面がハーネス７の外周面に隙間が設けられることなく密接する。こうして、水滴や塵等が箱本体２の内部へ浸入することを更に防止することができる。
【００４４】
また、箱本体２の本体部３の外壁３１に連なる基端部６４の厚みが、該基端部６４に連なる撓み部６２の厚みよりも厚く形成されている。こうして、ハーネス７の配策方向を規制することができる。
【００４５】
また、撓み部６２には、通し部６の外方向に向かって凸に設けられた見返し部６３が設けられている。この見返し部６３によって、撓み部６２の外周に巻きつけられた粘着テープ８がずれることなくハーネス７が通し部６（即ち箱本体２）に組み付けられる。
【００４６】
なお、上述した本発明の電気接続箱１によれば、通し部６は、第１部材６Ａ及び第２部材６Ｂとの２部材によって構成されているが、本発明はこれに限ったものではない。通し部６は、通し部６の長手方向に沿って分割された３部材によって構成されていてもよい。通し部６は、通し部６の長手方向に沿って分割された４部材によって構成されていてもよい。即ち通し部６は、通し部６の長手方向に沿って分割された複数の部材によって構成されていてもよい。
【００４７】
また、上述した本発明の電気接続箱１によれば、第１部材６Ａは、基端部６４と、該基端部６４に連なる撓み部６２とで構成されている。しかしながら、本発明はこれに限ったものではない。第１部材６Ａは、撓み部６２のみで構成されていてもよい。
【００４８】
また、上述した本発明の電気接続箱１によれば、第１部材６Ａ及び第２部材６Ｂそれぞれに撓み部６２が設けられている。しかしながら本発明はこれに限ったものではない。撓み部６２は、第１部材６Ａまたは第２部材６Ｂのどちらか一方に設けられていればよい。こうして、撓み部６２が設けられていない第１部材６Ａまたは第２部材６Ｂは、撓まないことでハーネス７の配策方向を規制することができる。
【００４９】
また、上述した本発明の電気接続箱１によれば、第１部材６Ａの基端部６４の厚みは、第２部材６Ｂの基端部６６の厚みよりも厚く形成されている。しかしながら、本発明はこれに限ったものではない。第２部材６Ｂの基端部６６の厚みが、第１部材６Ａの基端部６４の厚みと同様の厚みに形成されていてもよい。即ち基端部６６の厚みが、撓み部６２の厚みよりも厚く形成されていてもよい。
【００５０】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５１】
１  電気接続箱
２  箱本体
３１、４１、５１  外壁
６  通し部
６２  撓み部
６３  見返し部
６４  基端部
６Ａ  第１部材（部材）
６Ｂ  第２部材（部材）
７  ハーネス
８  粘着テープ（固定部材）
【図１】
2010279191.tif 000003
【図２】
2010279191.tif 000004
【図３】
2010279191.tif 000005
【図４】
2010279191.tif 000006
【図５】
2010279191.tif 000007
【図６】
2010279191.tif 000008